(57)【特許請求の範囲】
【請求項３】
潤滑剤を保持した滑り軸受を有し、光ピックアップが搭載されるピックアップベースと、
前記滑り軸受に摺動可能に嵌合するリードスクリューと、を備え、
前記リードスクリューのネジ山の外周面を、円弧状となるように切り欠いて形成したことを特徴とする光ピックアップ送り装置。
【発明の詳細な説明】
【技術分野】
【０００１】
本発明は、ＣＤやＤＶＤなどの光記録媒体に対する再生または記録動作を行う光ディスクプレーヤー、光ディスクレコーダー等に備えられる光ピックアップ送り装置に関する。
【背景技術】
【０００２】
従来の光ピックアップ送り装置は、ピックアップベースに板バネを固定し、この板バネに付勢されるラックをリードスクリューに噛合わせ、リードスクリューの回転によりピックアップベースを移動させるようにしており、この板バネを、リードスクリューの回転時に常に作用する板バネＡと、ラックの取付け位置に対し板バネ先端が近接し通常の回転時には作用せず、ラックがリードスクリューから外れ歯飛びが生じる際に、ラックがリードスクリューから外れる方向の変位に作用する板バネＢとで構成し、光ピックアップの送り抵抗を増大させずに歯飛びを抑えている（例えば、特許文献１参照）。
【０００３】
【特許文献１】
特開２００２−２７９７３９号公報（請求項１、第３頁、図１〜図５）
【発明の開示】
【発明が解決しようとする課題】
【０００４】
しかしながら、従来の光ピックアップ送り装置は、リードスクリューとラックとの間の摩擦力による光ピックアップの送り抵抗の増大を抑えることはできるが、ピックアップベースに設けられた軸受とリードスクリューとの間の潤滑剤の粘性抵抗による送り抵抗の増大については、何ら対策がされていないという問題があった。
【０００５】
本発明が解決しようとする課題には、上記したものが一例として挙げられ、ピックアップベースに設けられた軸受とリードスクリューとの間の潤滑剤の低温時の粘性抵抗増大による光ピックアップの送り抵抗の増大を抑えた光ピックアップ送り装置を得ること等を目的とする。
【課題を解決するための手段】
【０００６】
上述した課題を解決し、目的を達成するために、本発明は、潤滑剤を保持した滑り軸受を有し、光ピックアップが搭載されるピックアップベースと、前記滑り軸受に摺動可能に嵌合するリードスクリューと、を備え、前記リードスクリューのネジ山の外周面を、円弧状となるように切り欠いて形成したことを特徴とする。
【発明の効果】
［０００７］
本発明にかかる光ピックアップ送り装置は、ピックアップベースに設けられた軸受とリードスクリューとの間の潤滑剤の低温時の粘性抵抗増大による光ピックアップの送り抵抗の増大を抑え、低温環境においても常温時と同様に作動するという効果を奏する。
【図面の簡単な説明】
［０００８］
［図１］図１は、光ディスク再生装置の上面図である。
［図２］図２は、光ディスク再生装置の底面図である。
［図３］図３は、図２のＡ−Ａ線に沿う拡大断面図で実施例１を示す図である。
［図４］図４は、従来の光ピックアップ送り装置を示す図である。
［図５］図５は、実施例１の光ピックアップ送り装置の変形例を示す図である。
［図６］図６は、図２のＡ−Ａ線に沿う拡大断面図で実施例２を示す図である。
［図７］図７は、図１のＢ−Ｂ線に沿う拡大断面図で実施例３を示す図である。
［図８］図８は、実施例３の光ピックアップ送り装置の変形例を示す図である。
【符号の説明】
［０００９］
３  キャリッジ（ピックアップベース）
３ｅ，７３ｅ  滑り軸受
９，６９  リードスクリュー
【発明を実施するための最良の形態】
［００１０］
以下に、本発明にかかる光ピックアップ送り装置の実施例を図面に基づいて詳細に説明する。なお、この実施例によりこの発明が限定されるものではない。
【実施例１】
［００１１］
図１は、本発明に係る光ピックアップ送り装置を備えた光ディスク再生装置の上面図であり、図２は、光ディスク再生装置の底面図である。
【００１２】
図１および図２において、光ディスク再生装置２００は、シャーシ１上に、スピンドルモータ５により回転駆動されるディスクテーブル２と、光ピックアップ送り装置１００とを搭載して成る。
【００１３】
シャーシ１は、金属板の打ち抜きプレス成形により、概ね矩形の枠状に形成され、外周３ヶ所に設けられたフランジ１ｄにより図示しない光ディスクプレーヤーの筐体内に取付けられる。スピンドルモータ５が支持板６に取付けられ、支持板６がシャーシ１に取付けられており、ディスクテーブル２はシャーシ１の中央開口部１ｃの一方側に保持される。
【００１４】
光ピックアップ送り装置１００は、対物レンズ７、半導体レーザ等の光学系、対物レンズ駆動機構などから成る光ピックアップを搭載するピックアップベースとしてのキャリッジ３と、キャリッジ送りモータ１１により回転駆動され、キャリッジ３の一側部を支持すると共にキャリッジ３を送り駆動する主軸としてのリードスクリュー９と、キャリッジ３の他側部を摺動自在に支持する副軸８などから成っている。
【００１５】
副軸８は断面円形の軸で、スキューネジ３８、３８により、その両端がシャーシ１の左側縁部に取付けられ、スキューネジ３８、３８によりシャーシ１への取付高さを調整してスキュー調整ができるようになっている。
【００１６】
主軸としてのリードスクリュー９は、その一端が、スキュー調整部材１５に設けられた軸受部２０に回転自在に支持されている。スキュー調整部材１５は、シャーシ１に取付けられたブラケット１０に回動軸２４を介して回動可能に支持されている。シャーシ１とスキュー調整部材１５とに係合するスキューネジ２２により、リードスクリュー９のシャーシ１への取付高さを調整してスキュー調整ができるようになっている。
【００１７】
リードスクリュー９の他端は、樹脂製のスキュー調整部材３１に設けられた軸受部２９に回転自在に支持されている。スキュー調整部材３１は、シャーシ１に止めネジ３３により取付けられている。シャーシ１とスキュー調整部材３１とに係合するスキューネジ２２により、スキュー調整部材３１を撓ませ、リードスクリュー９のシャーシ１への取付高さを調整してスキュー調整ができるようになっている。
【００１８】
また、リードスクリュー９は、ブラケット１０に取付けられたキャリッジ送りモータ１１により回転駆動されるようになっていて、リードスクリュー９に取付けられた従動歯車１４が、モータ１１の出力軸１１ａに取付けられた原動歯車１２に噛合う２段の中間歯車１３の小歯車と噛合って、モータ１１の回転を減速するようになっている。
【００１９】
キャリッジ３の右側部には２つの腕３ｂ、３ｂが設けられ、これらの腕３ｂ、３ｂには、リードスクリュー９が挿通され摺動可能に嵌合される後述の潤滑剤含浸滑り軸受が取付けられている。また、２つの腕３ｂ、３ｂの間には、ラック３ｃが取付けられている。ラック３ｃは、キャリッジ３に固着された板バネ３ｄによりリードスクリュー９に押し付けられ、リードスクリュー９と噛合ってリードスクリュー９の回転によりキャリッジ３を前後方向に送り、光ピックアップを目標位置へ移動させる。
【００２０】
キャリッジ３の左側部からは、フォーク状の副軸受３ａが副軸８に向かって突き出している。この副軸受３ａによって副軸８を上下から挟むことにより、キャリッジ３の左側部は副軸８に摺動自在に支持される。
【００２１】
図３は実施例１の光ピックアップ送り装置１００のリードスクリュー９の構造を示すものである。図４は従来の光ピックアップ送り装置１００のリードスクリュー５９の構造を示すものである。図４に示すように、従来の光ピックアップ送り装置１００のリードスクリュー５９は、直径φｄ＝３〜４ｍｍの軸に螺旋溝５９ａが形成され、ネジ山の幅Ｓ＝２〜３ｍｍの螺旋帯状の外周部５９ｂが、キャリッジ３の主軸受け腕３ｂに設けられた潤滑剤含浸滑り軸受３ｅに摺動可能に嵌合していた。
【００２２】
滑り軸受３ｅとリードスクリュー５９のネジ山の外周部５９ｂとの間のクリアランスは、コジリ、メカ偏芯及びバックラッシュ等を考慮して小さく設定されていて、滑り軸受３ｅから滲み出た潤滑剤により潤滑されているが、低温環境になると潤滑剤の粘性抵抗が著しく上昇し、ディスクの高速サーチに悪影響を及ぼしていた。
【００２３】
例えば寒冷時の粘性抵抗の低減対策として、潤滑剤の粘度を下げると、リードスクリュー５９の高速回転により潤滑剤が飛散するので粘度を下げることはできない。また、滑り軸受３ｅとリードスクリュー５９のネジ山の外周部５９ｂとの間のクリアランスを大きくすることも考えられるが、これは、コジリ、メカ偏芯及びバックラッシュの増大に繋がり採用することはできない。
【００２４】
図３に、潤滑剤の粘性抵抗の変動を抑制する抑制部の一具体例を示す。なお、本発明における「抑制部」とは、滑り軸受３ｅとリードスクリュー９との接触面積を小さくし、例えば低温時の潤滑剤の粘性抵抗負荷トルク係数の増大を抑制する構造をいう。また、この抑制部は、滑り軸受３ｅとリードスクリュー９の少なくとも一方に有していればよい。
ここで示す実施例１の光ピックアップ送り装置１００においては、上記抑制部をリードスクリュー９に形成する例であり、具体的にはリードスクリュー９の直径φｄの外周部９ｂを左端に幅Ｔ程度残し、他の部分を、滑り軸受３ｅとの間のクリアランスがＨとなるように層状に切り欠いている。外周部９ｂの幅Ｔは狭いので、図３の断面図で見ると滑り軸受３ｅとリードスクリュー９とは実質的に点接触状態となっていて、この点接触部分が周方向に螺旋状に連続しているので、滑り軸受３ｅとリードスクリュー９とは線状に接触することとなる。実施例１の光ピックアップ送り装置１００では、滑り軸受３ｅとリードスクリュー９との接触面積を線状に小さくして、低温時の潤滑剤の粘性抵抗負荷トルク係数の増大を抑えている。
【００２５】
図５に実施例１の光ピックアップ送り装置１００の変形例を示す。リードスクリュー９の直径φｄの外周部９ｂを左端ではなく中央に幅Ｔ程度残している点が図３に示すものと異なるだけで、他の寸法は同じである。外周部９ｂを残す軸方向位置は、左右端でもその中間でもどこでも良い。
【実施例２】
【００２６】
次に、図６を参照して実施例２の光ピックアップ送り装置１００の構造を説明する。図６は図２のＡ−Ａ線に沿う拡大断面図で実施例２の光ピックアップ送り装置１００を示す図である。実施例２の光ピックアップ送り装置１００では、リードスクリュー６９の直径φｄのネジ山の外周部６９ｂの縦断面を円弧状に形成してある。他の構成は実施例１のものと変わるところがない。
【００２７】
図６の断面図で見ると、滑り軸受３ｅとリードスクリュー６９とは実質的に点接触状態となっていて、この点接触部分が周方向に螺旋状に連続しているので、滑り軸受３ｅとリードスクリュー６９とは線状に接触することとなる。実施例２の光ピックアップ送り装置１００においても、滑り軸受３ｅとリードスクリュー６９との接触面積を線状に小さくして、低温時の潤滑剤の粘性抵抗負荷トルク係数の増大を抑えている。このように実施例２によっても、潤滑剤の低温時の粘性抵抗増大による光ピックアップの送り抵抗の増大を抑えることができる。
【実施例３】
【００２８】
次に、図７を参照して実施例３の光ピックアップ送り装置１００の構造を説明する。図７は図１のＢ−Ｂ線に沿う拡大断面図で実施例３の光ピックアップ送り装置を示す図である。実施例３の光ピックアップ送り装置１００では、リードスクリューは図４に示す従来のリードスクリュー５９と同じとなっていて、潤滑剤含浸滑り軸受７３ｅは、リードスクリュー５９の外周部５９ｂに、周方向の３箇所において、軸方向に線状に外接する六角形となっている。軸受７３ｅの横断面形状は六角形でなくても、三角形以上の多角形状に形成されていればよい。
【００２９】
実施例３の光ピックアップ送り装置においても、滑り軸受７３ｅとリードスクリュー５９との接触面積を線状に小さくして、低温時の潤滑剤の粘性抵抗負荷トルク係数の増大を抑えている。
【００３０】
図８に実施例３の光ピックアップ送り装置１００の変形例を示す。潤滑剤含浸滑り軸受７３ｅは、リードスクリュー５９の外周部５９ｂに、周方向の２箇所において、軸方向に線状に外接する五角形となっている。このように接触個所は２ヶ所でもよい。軸受７３ｅの横断面形状は五角形でなくても、三角形以上の多角形状に形成されていればよい。
【００３１】
以上、本発明の実施例を説明したが、滑り軸受３ｅ、７３ｅは、潤滑剤含浸滑り軸受でなく、潤滑剤を塗布した滑り軸受としてもよい。また、上記実施例１又は実施例２に示したリードスクリューに用いられる（形成される）抑制部と、本実施例に示した滑り軸受に用いられる抑制部とを組合わせた形状としてもよい。なお、本発明の実施例にて例示した光ピックアップ送り装置を搭載した光ディスク再生装置又は光ディスク記録装置においても、当該光ピックアップ送り装置の効果を享受することができることは言うまでもない。
【産業上の利用可能性】
【００３２】
以上のように、本発明にかかる光ピックアップ送り装置は、ＣＤやＤＶＤなどの光記録媒体に対する再生または記録動作を行う光ディスクプレーヤー、光ディスクレコーダー等の光ピックアップ送り装置として有用であり、特に、屋外で使用されるものに適している。
【図１】
0004387404.tif 000002
【図２】
0004387404.tif 000003
【図３】
0004387404.tif 000004
【図４】
0004387404.tif 000005
【図５】
0004387404.tif 000006
【図６】
0004387404.tif 000007
【図７】
0004387404.tif 000008
【図８】
0004387404.tif 000009